(57)【要約】【課題】外科的手順の間に器官および／または身体組織を開創するためのシステムおよびデバイス、さらに特定すれば、最小侵襲手術の間に身体組織および／または器官を開創または位置決めするための外科用メッシュまたはスリングを提供すること。【解決手段】開創器システムであって：軟組織に連結されるアンカー；組織および／または器官を吊るような形態の外科用メッシュ；該アンカーに連結される調節器；および該外科用メッシュに連結される１つの端部、および該調節器に連結される他方の端部を有するワイヤを備え、該ワイヤが、所望の懸架長さで該外科用メッシュを吊るように作動可能である、開創器システムである。【選択図】図１
2011078788.tif 000002
【特許請求の範囲】
【請求項１】
開創器システムであって：
軟組織に連結されるアンカー；
組織および／または器官を吊るような形態の外科用メッシュ；
該アンカーに連結される調節器；および
該外科用メッシュに連結される１つの端部、および該調節器に連結される他方の端部を有するワイヤを備え、該ワイヤが、所望の懸架長さで該外科用メッシュを吊るように作動可能である、開創器システム。
【請求項２】
前記懸架長さが、前記ワイヤを引っ張ることによって調節される、請求項１に記載の開創器システム。
【請求項３】
前記ワイヤの遠位端が引っ張られて前記懸架長さを増加し、そして近位端が引っ張られて該懸架長さを減少する、請求項２に記載の開創器システム。
【請求項４】
開創器システムであって：
軟組織に連結されるアンカー；
組織および／または器官を吊るような形態の外科用メッシュ；
該外科用メッシュの遠位部分に接する調節器；および
該アンカーに連結される１つの端部および該外科用メッシュおよび該調節器を通って延びる他方の端部を有するワイヤを備え、該ワイヤが、所望の懸架長さで該外科用メッシュを吊るように作動可能である、開創器システム。
【請求項５】
前記懸架長さが、前記調節器を引っ張ることによって調節される、請求項４に記載の開創器システム。
【請求項６】
前記調節器が前記ワイヤの遠位端に向かって引っ張られて前記懸架長さを増加し、そして該調節器が該ワイヤの近位端に向かって引っ張られて該懸架長さを減少する、請求項５に記載の開創器システム。
【請求項７】
身体空洞の内側で外科用メッシュを操作するシステムであって：
外科用メッシュ；
軟組織に連結される形態のアンカー；
該アンカーに連結される形態の調節器；
該外科用メッシュの上方に組織および／または器官を配置する手段；
該外科用メッシュおよび該調節器を連結する形態のワイヤ；および
該外科用メッシュに対する懸架長さを変更するために引っ張られる形態のワイヤ；を備え、該ワイヤの遠位端が引っ張られて該懸架長さを増加し、そして近位端が引っ張られて該懸架長さを減少する、システム。
【請求項８】
身体空洞の内側で外科用メッシュを操作するシステムであって：
外科用メッシュ；
該外科用メッシュの下に配置される調節器；
該外科用メッシュの上方に組織および／または器官を配置する手段；
該外科用メッシュの下に配置された調節器に連結されるその１つの端部、および軟組織に連結されるその別の端部を有する形態のワイヤ；および
該外科用メッシュに対する懸架長さを変更するために引っ張られる形態の調節器を；を備え、
該調節器が該ワイヤの遠位端に向かって引っ張られて該懸架長さを増加し、そして該調節器が該ワイヤの近位端に向かって引っ張られて該懸架長さを減少する、システム。
【請求項９】
開創器システムであって：
基部、該基部の１つの端部に取り付けられた係留構成要素、および該基部の他方の端部に取り付けられたカムクリートを有する少なくとも１つのアンカー；
コーティングされた端部および取り付け端部を有する縫合糸であって、該コーティングされた端部が該カムクリートを通過されるよう作動可能である縫合糸；および
該縫合糸の取り付け端部に連結された取り付けデバイスであって、組織および／または器官に取り付けられるか、または組織および／または器官を支持する形態である取り付けデバイスを備え、該縫合糸が、該カムクリートを通って該縫合糸を引っ張ることにより所望の長さで腹壁から該組織および／または器官を吊るように作動可能である、開創器システム。
【請求項１０】
前記取り付けデバイスが外科用メッシュである、請求項９に記載の開創器システム。
【請求項１１】
開創器システムであって：
軟組織に連結されるアンカー；
組織および／または器官を吊るような形態の外科用メッシュ；
該アンカーに連結される近位調節器；
該外科用メッシュの遠位部分に接する遠位調節器；および
該近位調節器に連結される近位端、および該外科用メッシュおよび該調節器を通って延びる遠位端を有するワイヤを備え、該ワイヤが、所望の懸架長さで該外科用メッシュを吊るように作動可能である、開創器システム。
【請求項１２】
前記ワイヤの遠位端が前記近位調節器を通って引っ張られて前記懸架長さを増加し、そして前記近位端が前記近位調節器を通って引っ張られて該懸架長さを減少する、請求項１１に記載の開創器システム。
【発明の詳細な説明】
【技術分野】
【０００１】
（関連出願への相互参照）
本出願は、「調節器をもつメッシュ開創器」と題する２００９年１０月９日に出願された米国仮出願第６１／２５０，０７２号および「内部組織アンカー」と題する２００９年１０月９日に出願された米国仮出願第６１／２５０，０７４号に基づく優先権を主張しており、それらの内容はそれらの全体が参考として本明細書中に援用される。
【０００２】
（背景）
１．技術分野
本開示は、外科的手順の間に器官および／または身体組織を開創するためのシステムおよびデバイスに、そしてより特定すれば、最小侵襲手術の間に身体組織および／または器官を開創または位置決めするための外科用メッシュまたはスリングに関する。
【背景技術】
【０００３】
２．関連技術の背景
外科用器具における最近の技術的改良の結果として、患者へのより少ない外傷を引き起こす最小侵襲技法（例えば、内視鏡による、腹腔鏡による、など）を用いる外科的手順が、慣用的に実施されている。
【０００４】
内視鏡および腹腔鏡外科的手順においては、手術の領域に位置する組織および／または器官を移動または操作するための器具を提供することがしばしば必要である。一般に、腹腔鏡外科的手順は、身体空洞、例えば、腹腔にガス注入するために、二酸化炭素のようなガスの導入を含み、外科医のための作業領域を提供する。トロカールデバイスを利用して腹膜を刺し、外科用器具の導入のために腹壁を通るカニューレのために接近ポートを提供する。腹膜を刺した後、腹腔にガス注入する。一般に、トロカール／カニューレは、外科的手順を実行するために必要である外科用器具の各々の片のために腹壁を通って配置される。このようにして、外科医は、第１のトロカール／カニューレを通って提供される内視鏡を通じて手術部位を観察し得、そして第２のトロカール／カニューレを利用して、特定の外科的手順の間に必要であり得る、把持器、鋏、クリップアプライヤ、ステープラおよび任意のその他の外科用器具を導入する。
【０００５】
ガス注入法ガスは腹腔を拡大して外科医が手術部位を見ることを可能にするが、手術目的物への清澄な経路を提供するために、内部器官または組織を操作することがしばしば必要である。従来、外科医に対して清澄な視角経路を提供するために器官または組織のじゃまにならない所に移動するためにそれらを引っ張る把持ツールが利用されてきた。また、手術部位から離れるように組織または器官を押し、そして保持するために利用される内視鏡開創器機構が開発されてきた。
【発明の概要】
【発明が解決しようとする課題】
【０００６】
このような把持ツールおよび開創器機構は、これらツールを作動する外科医が、片手を把持器または開創器機構を作動するために用い、その一方、外科的手順を行うために外科医の他方の手を用いることを必要とするという欠点を有している。従って、退却された位置に組織および／または器官を引っ込め、そして維持し、その一方、外科医が外科的手順の間に両手を用いることを可能にする内部組織開創器に対する必要性が存在している。
【０００７】
外科医は、外科的メッシュまたはスリングの使用を採用し得、手順を実施しながら、組織および／または器官を開創する。このようなメッシュまたはスリングの使用は、それらが退却されている組織および／または器官の位置を変更するために容易には操作されることができないという点で制限されている。
【課題を解決するための手段】
【０００８】
本開示の実施形態では、組織または器官を開創するために用いられる開創器システムが提供される。この開創器システムは、軟組織に連結されるアンカーおよび組織および／または器官を吊るような形態の外科用メッシュを含み得る。調節器が上記アンカーに連結され、そして上記外科用メッシュに連結される一方の端部、および上記調節器に連結される他方の端部を有するワイヤが、上記組織および／または器官を吊るために用いられ、ここで、このワイヤは、所望の懸架長さで上記外科用メッシュを吊るように作動可能である。ワイヤの端部を引っ張ることは、上記外科用メッシュに対する懸架長さを、このワイヤの遠位端が上記調節器を保持しながら引っ張られるとき上記懸架長さが増加させられ、そして上記調節器を保持しながら近位端が引っ張られるとき上記懸架長さが減少させられるように、変更する。
【０００９】
本開示の別の実施形態では、軟組織に連結されるアンカー、組織および／または器官を吊るような形態の外科用メッシュ、この外科用メッシュの遠位部分に接する調節器、ならびに上記アンカーに連結される一方の端部および上記外科用メッシュおよび上記調節器を通って延びる他方の端部を有するワイヤを備え、ここで、このワイヤは、所望の懸架長さで上記外科用メッシュを吊るように作動可能である。上記調節器を引っ張ることは、上記外科用メッシュに対する懸架長さを、上記調節器がワイヤの遠位端に向かって引っ張られるとき上記懸架長さを増加し、そして上記調節器が該ワイヤの近位端に向かって引っ張られるとき上記懸架長さを減少するように、変更する。
【００１０】
本開示はまた、身体空洞の内側で外科用メッシュを操作する方法を提供する。この方法では、アンカーが軟組織に連結され、そして調節器がアンカーに連結される。組織および／または器官がこの外科用メッシュ上方に配置され、そしてワイヤを用いて上記外科用メッシュが上記調節器に連結される。上記ワイヤの端部を引っ張ることは、上記外科用メッシュに対する懸架長さを、上記調節器を保持しながら上記ワイヤの遠位端が引っ張られるとき上記懸架長さが増加し、そして上記調節器を保持しながら近位端が引っ張られるとき上記懸架長さが減少するように、変更する。
【００１１】
本開示はまた、身体空洞の内側で外科用メッシュを操作する別の方法を提供する。この方法では、組織および／または器官は外科用メッシュ上方に配置される。ワイヤの一方の端部を上記外科用メッシュの下に配置された調節器に連結する。上記調節器を引っ張ることは、上記外科用メッシュに対する懸架長さを、この調節器が上記ワイヤの遠位端に向かって引っ張られるとき上記懸架長さが増加し、そして上記調節器が上記ワイヤの近位端に向かって引っ張られるとき上記懸架長さが減少するように、変更する。
【００１２】
本開示のなお別の実施形態では、基部、この基部の一方の端部に取り付けられた係留構成要素、およびこの基部の他方の端部に取り付けられたカムクリートを有する少なくとも１つのアンカーを含む。このシステムはまた、コーティングされた端部および取り付け端部を有する縫合糸を含み、このコーティングされた端部は上記カムクリートを通過するように作動可能であり、そして取り付けデバイスが上記縫合糸の取り付け端部に連結され、この取り付けデバイスは、組織および／または器官に取り付けられる形態である。上記縫合糸は、上記カムクリートを通して上記縫合糸を引っ張ることによって、所望の長さで腹壁から組織および／または器官を吊るように作動可能である。
【００１３】
本開示は、身体空洞の内側で組織および／または器官を開創するなお別の方法を提供する。この方法は、カムクリートを有するアンカーを腹壁に取り付ける工程、組織および／または器官を縫合糸の一方の端部に取り付ける工程、および上記縫合糸の他方の端部を上記カムクリートを通過させる工程を包含する。上記縫合糸は、上記カムクリートを通して引っ張られて上記組織および／または器官の懸架長さを減少し、そして上記カムクリートに負荷が付与されて上記組織および／または器官の懸架長さを増加する。
【００１４】
本開示のなお別の実施形態では、組織または器官を開創するために用いられる開創器システムが提供される。この開創器システムは、軟組織に連結されるアンカーおよび組織および／または器官を吊るような形態の外科用メッシュを含み得る。近位調節器が上記アンカーに連結され、そして遠位調節器が上記外科用メッシュの遠位部分に接する。上記近位調節器に連結される近位端、および上記外科用メッシュおよび上記調節器を通って延びる遠位端を有するワイヤがまた提供され、このワイヤは、所望の懸架長さで上記外科用メッシュを吊るように作動可能である。上記ワイヤの端部を引っ張ることは、上記外科用メッシュに対する懸架長さを、上記近位調節器を保持しながら上記ワイヤの遠位端が引っ張られると上記懸架長さが増加し、そして上記近位調節器を保持しながら上記近位端が引っ張られると上記懸架長さが減少するように、変更する。上記遠位調節器を引っ張ることは、外科用メッシュに対する懸架長さを、上記遠位調節器が上記ワイヤの遠位端に向かって引っ張られるとき上記懸架長さが増加し、そして上記遠位調節器が上記ワイヤの近位端に向かって引っ張られるとき上記懸架長さが減少するように、変更する。
【００１５】
本発明は、さらに以下を提供する。
【００１６】
（項目１Ａ）開創器システムであって：
軟組織に連結されるアンカー；
組織および／または器官を吊るような形態の外科用メッシュ；
該アンカーに連結される調節器；および
該外科用メッシュに連結される１つの端部、および該調節器に連結される他方の端部を有するワイヤを備え、該ワイヤが、所望の懸架長さで該外科用メッシュを吊るように作動可能である、開創器システム。
【００１７】
（項目２Ａ）上記懸架長さが、上記ワイヤを引っ張ることによって調節される、上記項目に記載の開創器システム。
【００１８】
（項目３Ａ）上記ワイヤの遠位端が引っ張られて上記懸架長さを増加し、そして近位端が引っ張られて該懸架長さを減少する、上記項目のいずれか一項に記載の開創器システム。
【００１９】
（項目４Ａ）開創器システムであって：
軟組織に連結されるアンカー；
組織および／または器官を吊るような形態の外科用メッシュ；
該外科用メッシュの遠位部分に接する調節器；および
該アンカーに連結される１つの端部および該外科用メッシュおよび該調節器を通って延びる他方の端部を有するワイヤを備え、該ワイヤが、所望の懸架長さで該外科用メッシュを吊るように作動可能である、開創器システム。
【００２０】
（項目５Ａ）上記懸架長さが、上記調節器を引っ張ることによって調節される、上記項目のいずれか一項に記載の開創器システム。
【００２１】
（項目６Ａ）上記調節器が上記ワイヤの遠位端に向かって引っ張られて上記懸架長さを増加し、そして該調節器が該ワイヤの近位端に向かって引っ張られて該懸架長さを減少する、上記項目のいずれか一項に記載の開創器システム。
【００２２】
（項目７Ａ）身体空洞の内側で外科用メッシュを操作するシステムであって：
外科用メッシュ；
軟組織に連結される形態のアンカー；
該アンカーに連結される形態の調節器；
該外科用メッシュの上方に組織および／または器官を配置する手段；
該外科用メッシュおよび該調節器を連結する形態のワイヤ；および
該外科用メッシュに対する懸架長さを変更するために引っ張られる形態のワイヤ；を備え、該ワイヤの遠位端が引っ張られて該懸架長さを増加し、そして近位端が引っ張られて該懸架長さを減少する、システム。
【００２３】
（項目８Ａ）身体空洞の内側で外科用メッシュを操作するシステムであって：
外科用メッシュ；
該外科用メッシュの下に配置される調節器；
該外科用メッシュの上方に組織および／または器官を配置する手段；
該外科用メッシュの下に配置された調節器に連結されるその１つの端部、および軟組織に連結されるその別の端部を有する形態のワイヤ；および
該外科用メッシュに対する懸架長さを変更するために引っ張られる形態の調節器を；を備え、
該調節器が該ワイヤの遠位端に向かって引っ張られて該懸架長さを増加し、そして該調節器が該ワイヤの近位端に向かって引っ張られて該懸架長さを減少する、システム。
【００２４】
（項目９Ａ）開創器システムであって：
基部、該基部の１つの端部に取り付けられた係留構成要素、および該基部の他方の端部に取り付けられたカムクリートを有する少なくとも１つのアンカー；
コーティングされた端部および取り付け端部を有する縫合糸であって、該コーティングされた端部が該カムクリートを通過されるよう作動可能である縫合糸；および
該縫合糸の取り付け端部に連結された取り付けデバイスであって、組織および／または器官に取り付けられるか、または組織および／または器官を支持する形態である取り付けデバイスを備え、該縫合糸が、該カムクリートを通って該縫合糸を引っ張ることにより所望の長さで腹壁から該組織および／または器官を吊るように作動可能である、開創器システム。
【００２５】
（項目１０Ａ）上記取り付けデバイスが外科用メッシュである、上記項目のいずれか一項に記載の開創器システム。
【００２６】
（項目１１Ａ）開創器システムであって：
軟組織に連結されるアンカー；
組織および／または器官を吊るような形態の外科用メッシュ；
該アンカーに連結される近位調節器；
該外科用メッシュの遠位部分に接する遠位調節器；および
該近位調節器に連結される近位端、および該外科用メッシュおよび該調節器を通って延びる遠位端を有するワイヤを備え、該ワイヤが、所望の懸架長さで該外科用メッシュを吊るように作動可能である、開創器システム。
【００２７】
（項目１２Ａ）上記ワイヤの遠位端が上記近位調節器を通って引っ張られて上記懸架長さを増加し、そして上記近位端が上記近位調節器を通って引っ張られて該懸架長さを減少する、上記項目のいずれか一項に記載の開創器システム。
【００２８】
（項目１Ｂ）開創器システムであって：
軟組織に連結されるアンカー；
組織および／または器官を吊るような形態の外科用メッシュ；
該アンカーに連結される調節器；および
該外科用メッシュに連結される１つの端部、および該調節器に連結される他方の端部を有するワイヤを備え、該ワイヤが、所望の懸架長さで該外科用メッシュを吊るように作動可能である、開創器システム。
【００２９】
（項目２Ｂ）上記懸架長さが、上記ワイヤを引っ張ることによって調節される、上記項目のいずれか一項に記載の開創器システム。
【００３０】
（項目３Ｂ）上記ワイヤの遠位端が引っ張られて上記懸架長さを増加し、そして近位端が引っ張られて該懸架長さを減少する、上記項目のいずれか一項に記載の開創器システム。
【００３１】
（項目４Ｂ）開創器システムであって：
軟組織に連結されるアンカー；
組織および／または器官を吊るような形態の外科用メッシュ；
該外科用メッシュの遠位部分に接する調節器；および
該アンカーに連結される１つの端部および該外科用メッシュおよび該調節器を通って延びる他方の端部を有するワイヤを備え、該ワイヤが、所望の懸架長さで該外科用メッシュを吊るように作動可能である、開創器システム。
【００３２】
（項目５Ｂ）上記懸架長さが、上記調節器を引っ張ることによって調節される、上記項目のいずれか一項に記載の開創器システム。
【００３３】
（項目６Ｂ）上記調節器が上記ワイヤの遠位端に向かって引っ張られて上記懸架長さを増加し、そして該調節器が該ワイヤの近位端に向かって引っ張られて該懸架長さを減少する、上記項目のいずれか一項に記載の開創器システム。
【００３４】
（項目７Ｂ）身体空洞の内側で外科用メッシュを操作する方法であって：
アンカーを軟組織に連結する工程；
調節器をアンカーに連結する工程；
組織および／または器官を該外科用メッシュ上方に配置する工程；
ワイヤを用いて該外科用メッシュを該調節器に連結する工程；および
該外科用メッシュに対する懸架長さを変更するために該ワイヤの端部を引っ張る工程；を包含し、該ワイヤの遠位端が引っ張られて該懸架長さを増加し、そして近位端が引っ張られて該懸架長さを減少する、方法。
【００３５】
（項目８Ｂ）身体空洞の内側で外科用メッシュを操作する方法であって：
組織および／または器官を該外科用メッシュ上方に配置する工程；
ワイヤの１つの端部を該外科用メッシュの下に配置された調節器に連結する工程；
該ワイヤの別の端部を軟組織に連結する工程；および
該外科用メッシュに対する懸架長さを変更するために該調節器を引っ張る工程；を包含し、
該調節器が該ワイヤの遠位端に向かって引っ張られて該懸架長さを増加し、そして該調節器が該ワイヤの近位端に向かって引っ張られて該懸架長さを減少する、方法。
【００３６】
（項目９Ｂ）開創器システムであって：
基部、該基部の１つの端部に取り付けられた係留構成要素、および該基部の他方の端部に取り付けられたカムクリートを有する少なくとも１つのアンカー；
コーティングされた端部および取り付け端部を有する縫合糸であって、該コーティングされた端部が該カムクリートを通過されるよう作動可能である縫合糸；および
該縫合糸の取り付け端部に連結された取り付けデバイスであって、組織および／または器官に取り付けられるか、または組織および／または器官を支持する形態である取り付けデバイスを備え、該縫合糸が、該カムクリートを通って該縫合糸を引っ張ることにより所望の長さで腹壁から該組織および／または器官を吊るように作動可能である、開創器システム。
【００３７】
（項目１０Ｂ）上記取り付けデバイスが外科用メッシュである、上記項目のいずれか一項に記載の開創器システム。
【００３８】
（項目１１Ｂ）身体空洞の内側で組織および／または器官を開創する方法であって：
カムクリートを有するアンカーを腹壁に取り付ける工程；
組織および／または器官を縫合糸の１つの端部に取り付ける工程；
該縫合糸の他方の端部を該カムクリートを通過させる工程；を包含し、該縫合糸が該カムクリートを通して引っ張られて該組織および／または器官の懸架長さを減少し、そして該カムクリートに負荷が付与されて該組織および／または器官の懸架長さを増加する、方法。
【００３９】
（項目１２Ｂ）開創器システムであって：
軟組織に連結されるアンカー；
組織および／または器官を吊るような形態の外科用メッシュ；
該アンカーに連結される近位調節器；
該外科用メッシュの遠位部分に接する遠位調節器；および
該近位調節器に連結される近位端、および該外科用メッシュおよび該調節器を通って延びる遠位端を有するワイヤを備え、該ワイヤが、所望の懸架長さで該外科用メッシュを吊るように作動可能である、開創器システム。
【００４０】
（項目１３Ｂ）上記ワイヤの遠位端が上記近位調節器を通して引っ張られて上記懸架長さを増加し、そして上記近位端が上記近位調節器を通して引っ張られて該懸架長さを減少する、上記項目のいずれか一項に記載の開創器システム。
【００４１】
（項目１４Ｂ）上記遠位調節器が上記ワイヤの遠位端に向かって引っ張られて上記懸架長さを増加し、そして上記遠位調節器が上記ワイヤの近位端に向かって引っ張られて該懸架長さを減少する、上記項目のいずれか一項に記載の開創器システム。
【００４２】
（摘要）
軟組織に連結されるアンカーおよび組織および／または器官を吊るような形態の外科用メッシュを有する開創器システムが提供される。調節器がまた提供され、そしてアンカーに連結される。さらに、上記外科用メッシュに連結された１つの端部、および上記ワイヤが所望の懸架長さで外科用メッシュを吊るように作動可能な場所であり、調節器に連結される他方の端部を有するワイヤが提供される。
【図面の簡単な説明】
【００４３】
本開示の上記の局面およびその他の局面、特徴、および利点は、添付の図面を組み合わせて考慮されるとき、以下の詳細な説明を考慮してより明らかになる。
【図１】図１は、本開示の実施形態による開創器システムを描写する。
【図２Ａ】図２Ａは、本開示の別の実施形態による開創器システムの側面図である。
【図２Ｂ】図２Ｂは、図２Ａのスリングの平面図である。
【図３Ａ】図３Ａは、本開示の別の実施形態に従う開創器システムを描写する。
【図３Ｂ】図３Ｂは、本開示の別の実施形態に従う開創器システムを描写する。
【図４Ａ】図４Ａは、本開示の実施形態による腹壁アンカーを描写する。
【図４Ｂ】図４Ｂは、本開示の実施形態によるカムクリートを描写する。
【図５−１】図５Ａ〜５Ｄは、本開示の実施形態による腹壁アンカーを描写する。
【図５−２】図５Ｅ〜５Ｈは、本開示の実施形態による腹壁アンカーを描写する。
【図５−３】図５Ｉは、本開示の実施形態による腹壁アンカーを描写する。
【図６−１】図６Ａ〜６Ｃは、本開示の実施形態による組織取り付けデバイスを描写する。
【図６−２】図６Ｄ〜６Ｆは、本開示の実施形態による組織取り付けデバイスを描写する。
【図７】図７Ａおよび７Ｂは、本開示の別の実施形態による内部組織アンカーを描写する。
【発明を実施するための形態】
【００４４】
（詳細な説明）
本開示の特定の実施形態は、本明細書で以下に、添付の図面を参照して説明される；しかし、これらの開示される実施形態は本開示の単なる例示であり、そして種々の形態で具現化され得ることが理解されるべきである。周知の機能または構成は、本開示を不必要な詳細で曖昧にすることを避けるために詳細には説明されない。従って、本明細書中に開示される特定の構造的詳細および機能的詳細は、限定的であると解釈されるべきではなく、単なる請求項の基礎として、そして当業者に、実質的に任意の適切に詳細な構造で本開示を種々に採用することを教示するための代表的な基礎として解釈されるべきである。
【００４５】
同様の参照番号は、図面の図示全体で類似または同一の要素に言及し得る。図面に示されるように、そして以下の記載の全体で説明されるように、外科用器具上の相対的位置決めに言及するとき、伝統的であるように、用語「近位」は、腹壁により近い装置の端部をいい、そして用語「遠位」は、腹壁から遠く離れている装置の端部をいう。用語「臨床医」は、本明細書中に記載される実施形態の使用を含む医療手順を実施する任意の医療専門家（すなわち、医師、外科医、看護婦など）をいう。
【００４６】
図１は、本開示の実施形態による開創器システム１０を図示する。図１に示されるように、アンカー１２は、軟組織、例えば、腹壁「Ａ」に連結されている。各アンカー１２はフック形状の遠位端１４を有し、そして容易に吸収され得る材料から形成され得る。フック形状の遠位端１４は、腹壁「Ａ」に連結されるチタンのらせんコイルのような、らせんコイル１６に連結される。
【００４７】
図１は、フック形状の遠位端１４およびらせんコイル１６を備えたアンカー１２を図示しているけれども、その他のタイプのアンカーが本開示の実施形態とともに用いられ得る。用いられ得るその他のアンカーは、限定されないで、磁性アンカー、ワイヤループを有するアンカー、連結されたスリングを有するアンカーを含み得る。さらに、縫合糸、ステープル、Ｉ−クリップ、スパイク、タックなど、アンカーを腹壁「Ａ」に連結するその他の方法が採用され得る。
【００４８】
リング１８が各フック形状の遠位端１４から吊り下げられている。各リング１８に取り付けられるのは、以下で説明されるように、外科用メッシュまたはスリング２２を操作するために用いられる調節器２０である。スリング２２は、身体空洞内側での使用のために適切な任意の生体適合性材料から作製され得る。スリング２２は、調節器２０を通って延びるワイヤまたは縫合糸２４を用いてリング１８から吊り下げられている。縫合糸２４の遠位端２４ｂはスリング２２に連結され、その一方、縫合糸２４の近位端２４ａは調節器２０に通されている。図１は、スリング２２の隅に取り付けられている縫合糸２４を図示しているが、縫合糸２４はスリング２２のどこにでも取り付けられ得る。さらに単一の調節器２０が利用されてもよく、または複数の調節器が利用されてもよい。
【００４９】
外科的手順の間に、トロカールが腹膜を刺した後であって腹腔にガス注入する前に、アンカー１２は、上記に記載の方法の１つによって腹壁「Ａ」に連結される。臨床医は、スリング２２を組織および／または器官の下に置き、そして次にリング１８をフック形状の遠位端１４から吊ることによって、この組織および／または器官を吊す。臨床医は、次いで、近位端２４ａまたは遠位端２４ｂを引っ張ることによって懸架高さ、または長さ「Ｓ」を調節し得る。例えば、臨床医が長さ「Ｓ」を減らすことを所望する場合、そのときは、クリップまたは把持具を用いて調節器２０を保持しながら、臨床医は縫合糸２４の近位端２４ａを引っ張る。臨床医が長さ「Ｓ」を増やすことを所望する場合、そのときは、クリップまたは把持具を用いて調節器２０を保持しながら、臨床医は縫合糸２４の遠位端２４ｂを引っ張る。
【００５０】
図２Ａおよび２Ｂを参照して、本開示の別の実施形態による開創器システムはほぼ１００として示される。開創器システム１００は、フック形状の遠位端１４および腹壁「Ａ」に連結されたらせんコイル１６を有するアンカー１２を含む。図２Ａおよび２Ｂに示されるように、スリング１２２は、リング１１８に連結された近位端１２４ａを有する縫合糸１２４を有する。リング１１８は、アンカーなくして腹壁に直接連結され得るフック、縫合糸またはニードルで置き換えられ得る。縫合糸１２４の遠位端１２４ｂは、調節器１２０を通り、スリング１２２を通って延びる。
【００５１】
臨床医が、図２Ａおよび２Ｂに関して上記に記載の実施形態を用いるとき、臨床医は組織および／または器官をスリング１２２中に置く。その後、臨床医は、遠位端１２４ｂをスリング１２２を通して調節器１２０に取り付け、そして近位端１２４ａをアンカー１２に取り付ける。スリング１２２が組織および／または器官を開創するために用いられるとき、臨床医は縫合糸１２４の長さ「Ｔ」を、調節器１２０を近位端１２４ａまたは遠位端１２４ｂに向かって移動することにより調節し得る。例えば、臨床医が長さ「Ｔ」を減らすことを所望する場合、そのときは臨床医は、クリップまたは把持具を用いて縫合糸１２４の遠位端１２４ｂを保持しながら、調節器１２０を近位端１２４ａに向かって引く。臨床医が長さ「Ｔ」を増やすことを所望する場合、そのときは臨床医は、クリップまたは把持具を用いて縫合糸１２４の遠位端１２４ｂを保持しながら、調節器１２０を遠位端１２４ｂに向かって引く。
【００５２】
図３Ａおよび３Ｂを参照して、本開示の別の実施形態による内部開創器シテスムが、ほぼ２００および２１０としてそれぞれ示される。図３Ａの内部開創器シテスム２００は、腹壁アンカー３００、縫合糸３１０および綿撒糸（ｐｌｅｄｇｅｔ）３１４を含む。図４Ａおよび４Ｂに関して本明細書中以下でより詳細に説明されるアンカー３００は、腹壁「Ａ」に取り付けられる。縫合糸３１０は、本願明細書中以下で説明される様式で、縫合糸３１０の長さ「Ｔ」が調節され、それによって組織または器官「Ｏ」の懸架高さを調節するようにアンカー３００に連結される。図３Ａに示されるように、綿撒糸３１４は縫合糸３１０の１つの端部に取り付けられる。綿撒糸３１４は、腹壁「Ａ」から器官「Ｏ」を吊すために用いられる。綿撒糸３１４は、接着剤、とげ、または器官「Ｏ」を綿撒糸３１４に取り付けるために用いられ得る任意のその他の手段を含み得る。あるいは、そして図３Ｂに示されるように、内部開創器シテスム２１０は、複数のアンカー３００を含み得、各々のアンカー３００は、組織または器官を退却するために用いられるスリング３２０の１つの端部に連結されている。
【００５３】
ここで、図４Ａおよび４Ｂを参照して、図４Ａは腹壁アンカー３００を図示し、そして図４Ｂはアンカー３００とともに用いられる調節器またはカムクリート３０６を図示する。アンカー３００は、基部３０４の端部３０１に取り付けられたカムクリート３０６を有する基部３０４を含む。基部３０４はまた、ねじりばね３０４上にタオルクランプ挟み３０２のような係留構成要素を含み得る。端部３０５は一緒に圧搾されるか、または圧縮され、挟み３０２を開かせる。端部３０５が解放されると、挟み３０２は図３Ａおよび３Ｂに示されるように腹壁に食い込む。
【００５４】
図４Ｂは、基部３０４に取り付けられているカムクリート３０６を図示している。カムクリート３０６は、縫合糸３１０の長さが、負荷の下で容易に調製され、そして迅速に解放されることを可能にする縫合糸３１０をつまむ、２つのばねで負荷されるカム３６２および３６４を有する。縫合糸３１０のリーダー３１２は、リーダー３１２をより堅くし、縫合糸３１０をカムクリート３０６とともに用いることをより容易にするためにコーティングされ得る。
【００５５】
内視鏡または腹腔鏡手順の間に、アンカー３００は、腹腔壁「Ａ」に取り付けられる。縫合糸３１０の端部３１６は、綿撒糸３１４、スリング３２０または本明細書中に記載される任意のその他の手段を用いて組織または器官「Ｏ」に取り付けられる。リーダー３１２は次いで、カムクリート３０６中の２つのばねで負荷されるカム３６２と３６４との間のアパーチャ３６０を通って供給される。その後、臨床医は、カムクリート３０６を通ってリーダー３１２を引っ張るか、または負荷をカムクリート３０６に付与して縫合糸３１０を解放することにより、縫合糸３１０の長さ「Ｔ」を容易に調節し得る。
【００５６】
図５Ａ〜５Ｉは、基部３０４およびカムクリート３０６を腹壁に取り付けるために用いられ得る異なる係留構成要素を図示している。図５Ａに示されるように、アンカー５１０は鋭い端部５１４を備えたフック５１２を含む。鋭い端部５１４は、腹壁を刺すために用いられ、アンカー５１０を腹壁に固定し得る。図５Ｂは、アンカー５２０を腹壁に固定するために用いられ得る多くのとげ５２４を有するスパイク５２２を含むアンカー５２０を図示している。図５Ｃは、腹壁に連結されるチタンのらせんコイルのようならせんコイルであり得るアンカー５３０を図示している。
【００５７】
図５Ｄは、その中に、ばね５４２およびクランプ５４４を備えたチューブ５４６を有するアンカー５４０を図示している。クランプ５４４は腹壁「Ａ」を把持し、そして次にチューブ５４６は近位方向「Ｐ」に移動され、それによって、腹壁「Ａ」をつまみ、そしてアンカー５４０をそれに固定するクランプ５４４の顎５４５を圧縮する。図５Ｅは、ニードル５５２がそれに取り付けられた縫合糸５５４を用いるアンカー５５０を図示している。ニードル５５２は、腹壁を通過し、アンカー５５０を腹壁に固定する。縫合糸５５４は、多くのとげ５５６を含み得る。
【００５８】
図５Ｆは、ベース３０４に取り付けられたＩ−クリップ５６０を図示している。Ｉ−クリップ５６０は、腹壁中のアパーチャを通り、腹壁がフランジ５６２と５６４との間に静置するように配置される。チューブまたは管腔５６６はフランジ５６２をフランジ５６４に連結する。フランジ５６２および５６４ならびに管腔５６６は単一片から形成され得るか、または互いに取り外し可能に連結され得る。図５Ｇはタック５７０を図示し、これは、腹壁を刺し、そしてタック５７０を円運動でねじることによってその中に固定される。
【００５９】
図５Ｈおよび５Ｉは、本開示の実施形態による別の係留構成要素を図示している。腹壁「Ａ」に取り付けられ得るアンカー５８０が提供されている。アンカー５８０は、Ｎｉｔｉｎｏｌまたは任意のその他の形状記憶合金から作製された少なくとも２つのワイヤフック５８１を有する。形状記憶合金は、応力下で大きく変形し、一旦、この金属が再び負荷を解かれるとそれらの意図された形状をなお取り戻す。図５Ｈに示されるように、フック５８１は、アンカー５８０を腹壁「Ａ」に連結するために用いられる近位端５８２を有している。外科医がフック５８１を下方に引くと、近位端５８２は真っ直ぐになり、そしてアンカー５８０内のチャンバー５８３中に退却する（図５Ｉ）。アンカーが腹壁「Ａ」に連結されている場合、フック５８１上で引き下ろすことは、アンカー５８０を腹壁「Ａ」から解放する。チャンバー５８３は近位端５８２に力を付与し、それを真っ直ぐに維持する。フック５８１は、チャンバー５８３が端部５８２に力をもはや付与しないように上方に押されると、フック５８１は、図５Ｈに示されるようにその意図される形状を取り戻す。これはフック５８１を腹壁「Ａ」中に駆動し、それによってこのアンカーをその中に固定する。図４Ｂに関して上記で記載されるように、カムクリート３０６が、アンカー５８０の遠位端に連結される。フック５８１（単数または複数）は、レバー、ばね、ボタン、スイッチなど（図示はされていない）によって作動され得る。
【００６０】
図６Ａ〜６Ｆは、本明細書中上記に記載されるような、組織および／または器官を腹壁アンカーに取り付けるための組織取り付けデバイスの異なる実施形態を図示している。図６Ａは、それに取り付けられた綿撒糸６１０（例えば、直径１ｃｍの綿撒糸）を有する縫合糸６０２を図示している。綿撒糸６１０は、綿撒糸６１０を組織および／または器官に取り付けるために用いられ得る、接着剤、とげまたは任意のその他の手段を含み得る。図６Ｂは、より大きな綿撒糸６１２（例えば、直径５ｃｍの綿撒糸）に取り付けられた縫合糸６０２を図示している。
【００６１】
図６Ｃ〜６Ｅは、組織および／または器官を開創するために用いられ得る異なるスリングを図示している。図６Ｃに示されるように、縫合糸６０２ａはスリング６２０の端部６２２に連結され、その一方、縫合糸６０２ｂはスリング６２０の端部６２４に連結される。あるいは、図６Ｄに示されるように、各々の縫合糸リードがスリング上の複数の点に連結され得る。図６Ｄに示されるように、縫合糸６０２ａはリード６３２ａに分岐し、これらはスリング６３０の隅６３４に連結され、その一方、縫合糸６０２ｂはリード６３２ｂに分岐し、これらはスリング６３０の隅６３６に連結される。図６Ｅは、組織および／または器官を開創するために用いられ得る調節可能なスリングを図示している。スリング６４０の長さは、スリング６４１をスリング６４２に対して移動することによって調節され得る。スリング６４１およびスリング６４２は各々、調節部材６４６および６４４をそれぞれ有し、これらは、スリング６４０の長さを短縮し、またはスリング６４０の長さを増加するために用いられ得る。スリング６２０、６３０および６４０は、組織および／または器官の下に置かれ、そして次に縫合糸６０２ａおよび６０２ｂは、上記の腹壁アンカーの１つに取り付けられる。
【００６２】
図６Ｆは、縫合糸６０２の１つの端部にあるアリゲータークランプ６５０を図示している。アリゲータークランプ６５０は、組織または器官「Ｏ」上にクランプし、組織および／または器官「Ｏ」を腹壁から吊す。
【００６３】
図７Ａおよび７Ｂは、本開示の別の実施形態による内部組織アンカーシステム７００および７１０を図示している。システム７００は、ニードル７０２の１つを用いて腹壁「Ａ」に通され得る縫合糸７０６を含む。縫合糸７０６は、少なくとも１つの係留リングまたはループ７０４を含み得、これから、組織または器官が、フックまたは本明細書で上記に記載された任意のその他の方法を用いて吊られ得る。係留リング７０４は、任意の従来の手段によって縫合糸７０６に連結され得る。図７Ａは、２つのニードル７０２および２つの係留リング７０４を含むシステム７００を図示し、任意の数のニードル７０２および対応する係留リング７０４が用いられ得る。例えば、縫合糸７０６は、単一の係留リング７０４を備えた単一のニードル７０２を有する単一のスレッドを含み得るか、または縫合糸７０６は、各スレッドが対応するニードル７０２を有し、そして係留リング７０４が用いられ得る単一の点から発出する複数のスレッドを有する。縫合糸７０６および係留リング７０４は、腹腔の内側に残り得る標準的な材料または吸収性材料から構成されてもよく、それによって、非吸収性デバイスが、腹腔内で失われるか、または過失によって残る心配をなくする。係留リング７０４は、縫合糸７０６が腹腔内に配置される前に縫合糸７０６上に配置されてもよく、またはそれらは、縫合糸７０６が腹壁「Ａ」内に通された後に縫合糸７０６上に付加されてもよい。
【００６４】
あるいは、縫合糸７０６は、図７Ｂ（縫合糸７０８）に示されるように、Ｖ−Ｌｏｃ技術を取り込み得る。例えば、図７Ｂに示されるように、縫合糸７０８は、周縁分布（図示はされていない）を有し得る一方向性の浅いとげ７１２を含む。とげ７１２は、縫合糸７０８全体で均一に間隔を置かれ、多くの点で腹壁「Ａ」を把持し、それによって腹壁「Ａ」を横切る張力を分散し、そして腹壁「Ａ」に対する外傷を低減する。
【００６５】
その他の実施形態では、開創器システムは、（例えば、図１に示されるような）アンカーに連結されている近位調節器、および（例えば、図２Ａに示されるような）スリングの下の遠位調節器を用い得る。近位調節器および遠位調節器を有する開創器システムを用いることにより、臨床医は、外科的手順の間の任意の点で、臨床医のアクセスおよびいずれの調節器を調節することの容易さに基づき、これら調節器のいずれか、または両方を用いることによって、組織および／または器官の懸架長さを変更し得る。
【００６６】
前述の説明は、本開示の例示に過ぎないことが理解されるべきである。種々の代替物および改変物が、本開示から逸脱することなく当業者によって想定され得る。従って、本開示は、すべてのこのような代替物、改変物および変形物を包含することが意図される。不添付の図示する図面を参照して説明された実施形態は、本開示の特定の例を示すためにのみ提示されている。上記に記載のものおよび／または添付の請求項から実質的に異ならないその他の要素、工程、方法および技法はまた、本開示の範囲内にあることが意図される。
【符号の説明】
【００６７】
１０  開創器システム
１２  アンカー
１４  フック形状の遠位端
１６  らせんコイル
１８  リング
２０  調節器
２２  スリング
２４  縫合糸
【図１】
2011078788.tif 000003
【図２Ａ】
2011078788.tif 000004
【図２Ｂ】
2011078788.tif 000005
【図３Ａ】
2011078788.tif 000006
【図３Ｂ】
2011078788.tif 000007
【図４Ａ】
2011078788.tif 000008
【図４Ｂ】
2011078788.tif 000009
【図５−１】
2011078788.tif 000010
【図５−２】
2011078788.tif 000011
【図５−３】
2011078788.tif 000012
【図６−１】
2011078788.tif 000013
【図６−２】
2011078788.tif 000014
【図７】
2011078788.tif 000015